(57)【要約】【課題】バルブ操作に不慣れな者であっても容易に配管の管理を行うことが可能になり、それに付随して誤操作の防止が可能なバルブ状態表示装置を提供する。【解決手段】本発明にかかるバルブ状態表示装置１００の代表的な構成は、バルブのハンドルと一体となって回動するバルブ状態表示装置１００であって、バルブ軸と直交する方向の回転軸を中心に回転可能な開閉指示部１１０と、ハンドルの回動に伴う姿勢変更により、重力によって移動する移動子１３０と、を備え、開閉指示部１１０は、２以上の色で回転方向に色分けされ、移動子１３０の移動に伴って回転することで外部に表示する色を変更することを特徴とする。【選択図】図２
2010223331.tif 000002
【特許請求の範囲】
【請求項１】
バルブのハンドルと一体となって回動するバルブ状態表示装置であって、
バルブ軸と直交する方向の回転軸を中心に回転可能な開閉指示部と、
前記ハンドルの回動に伴う姿勢変更により、重力によって移動する移動子と、
を備え、
前記開閉指示部は、２以上の色で回転方向に色分けされ、前記移動子の移動に伴って回転することで外部に表示する色を変更することを特徴とするバルブ状態表示装置。
【請求項２】
前記バルブの正規の状態を示す色を固定的に表示する基準指標部を備えたことを特徴とする請求項１に記載のバルブ状態表示装置。
【請求項３】
前記移動子は磁石を有し、
前記開閉指示部は、磁極が異なる方向を向いて設置された２以上の磁石を有し、
前記開閉指示部は、移動する前記移動子の磁石との間の引力および斥力を利用して回転し、外部に表示する色を変更することを特徴とする請求項１に記載のバルブ状態表示装置。
【請求項４】
前記開閉指示部は円筒形を有し、
前記移動子は前記バルブ軸と直交する方向にスライド自在に配置されていることを特徴とする請求項１に記載のバルブ状態表示装置。
【請求項５】
前記開閉指示部は液密構造の外装部材に収納されていることを特徴とする請求項１に記載のバルブ状態表示装置。
【発明の詳細な説明】
【技術分野】
【０００１】
本発明は、バルブの状態を表示するバルブ状態表示装置に関するものである。
【背景技術】
【０００２】
近年、都市部では過密化が益々進んだことから架空送電用の鉄塔や変電所等の用地確保が困難になっている。これをうけ、また都市景観上や、防災上の観点を考慮して都市部では地中埋設型の送電線が主流となっている。地中送電は、通常は地中に埋設された管路や洞道とよばれる設備内に張り巡らされているケーブル（送電線）によって行われている。なお、管路とは複数のケーブルを収容する地中管をいい、洞道とはライフラインなどの複数の管やケーブルが配置された地下トンネルのことをいう。
【０００３】
地中送電用のケーブルにはＯＦ（Oil Filled＝絶縁油入り）ケーブルと呼ばれるものが存在する。ＯＦケーブルは、導体が絶縁用の油浸紙で覆われた構造をしており、主に高圧送電用のケーブルとして使用されている。このＯＦケーブルには、使用する絶縁用油を供給・加圧する給油装置が併設されている。この給油装置は、ガス圧を利用してＯＦケーブルに繋がる配管内に絶縁用油を供給している。
【０００４】
通常、給油装置の配管には、配管の開閉を行うことで流体の量や速度を制御するバルブが設置されている。このバルブには、流体の特性や配管の材質に合わせた様々な構造をもつもの、例えば円盤状の弁体が流路を直角に仕切るゲートバルブや、球状の弁体を使用するボールバルブや、円盤状の弁体が９０度回転して流路を仕切るバタフライバルブなどの数多くの種類が存在する。
【０００５】
また多くのバルブには、その操作を手動で行うことを可能にするために、バルブの回転軸と連動するハンドルが配管上に設置されている。上述した給油装置に限らず、様々なプラント等に設置された配管は、複数のガスボンベと連結したり、流路の分岐のために非常に複雑な配管構造となっており、バルブ操作のためのハンドルも多数存在する。このため、プラント等の正常な運営・管理を行うにはこれら多数のハンドルの正確な操作が要求される。
【０００６】
これをうけ、例えば特許文献１には、配管系に装着した手動ハンドル付きのバルブ用であって、配管の識別表示色に対応した識別色を施したバルブ用ハンドルカバーが記載されている。特許文献１によれば、記載されたカバーはバルブ用ハンドルに簡単に着脱でき、そのカバーの表示により確実かつ容易に配管を流れる流体の種類やバルブの開閉方向を識別できるとされている。
【０００７】
また、特許文献２には表示部材を電磁石装置によって反転駆動させて所望の表示を行う磁気反転動作表示器が記載されている。この記載によれば、磁気反転動作表示器によって所望の表示を行うことができ、表示後は永久磁石を用いて電磁石の極性を反転させることで、簡単にリセットできることとしている。
【先行技術文献】
【特許文献】
【０００８】
【特許文献１】特開２００５−２７３７０６号公報
【特許文献２】特開昭５８−１２５０８８号公報
【発明の概要】
【発明が解決しようとする課題】
【０００９】
しかし、特許文献１に記載のカバーでは、配管系のバルブ用ハンドルに装着し、その識別色を表示することで容易にバルブを識別できるとしているものの、利用者が行ったバルブ操作がその表示に反映されるわけではない。プラント等ではバルブ用ハンドルが装着された配管がどの種類の流体を流すための配管であるのか、どの配管操作を行うためのバルブであるのかといった識別よりも、そのハンドルの位置（状態）が正しいかどうか、または操作が正しいかどうかというような、現在の状態の識別が行えるような表示が求められている。この点を鑑みると、特許文献１に記載のカバーを使用すれば、誰でもバルブの識別を容易に行うことができるようになるが、現状を把握し正しいハンドル操作を選択すること自体は知識と経験がなければ難しいと考えられる。
【００１０】
また、特許文献２に記載の磁気反転動作表示器では、磁石を用いた機構により反転を行うことで容易な表示が行えるものの、電磁石装置を用いた表示器であるため電力源が必要となる。そのため、複数設置することは電力源の確保の面から容易ではない。
【００１１】
また、流体の配管は様々な施設に設置されており、既に膨大な数のバルブが存在する。したがって全く新規なバルブを開発したとしても、既設のバルブと交換するためには、流体の流れを停止し、多大な労力とコストをかける必要がある。そのため、既設のバルブについても適用することが可能な装置が求められている。
【００１２】
本発明は、上記課題に鑑みて、バルブ操作に不慣れな者であっても容易に配管の管理を行うことが可能になり、それに付随して誤操作の防止が可能なバルブ状態表示装置を提供することを目的としている。
【課題を解決するための手段】
【００１３】
上記課題を解決するために、本発明にかかるバルブ状態表示装置の代表的な構成は、バルブのハンドルと一体となって回動するバルブ状態表示装置であって、バルブ軸と直交する方向の回転軸を中心に回転可能な開閉指示部と、ハンドルの回動に伴う姿勢変更により、重力によって移動する移動子と、を備え、開閉指示部は、２以上の色で回転方向に色分けされ、移動子の移動に伴って回転することで外部に表示する色を変更することを特徴とする。
【００１４】
上記構成によれば、プラント等において、複雑な配管の管理が求められた場合、利用者は複数のバルブの状態を表示される色により一目で把握し操作することができる。またハンドルの操作は表示される色の変更に反映されることとなる。これにより、バルブ操作に不慣れな者であっても容易に配管の管理を行うことが可能になり、それに付随して誤操作の防止ができるバルブ状態表示装置を提供することが可能となる。
【００１５】
当該バルブ状態表示装置はバルブの正規の状態を示す色を固定的に表示する基準指標部を備えるとよい。
【００１６】
上記構成によれば、正しいバルブの状態を表示する基準指標部の色と、現在のバルブの状態を表示する開閉指示部の色とを比較することができる。したがって、ハンドルの位置でのみ操作の成否の判断をしていた場合と比べ、利用者に知識や経験を要求することなく現在のバルブの状態を把握させることができる。これにより、熟練者によらずとも配管の管理を行うことが可能となり、これによって安全管理の向上を図ることが可能となる。
【００１７】
また、基準指標部は着脱が可能であってもよい。これにより、例えばプラントの整備や工事を行うために定常時とは異なるバルブ操作を一定期間求める場合に、基準指標部を他の色のものに交換することで、定常時とは異なる操作を指標することができ、これによりハンドル操作の誤認を防ぐことができる。
【００１８】
移動子は磁石を有し、開閉指示部は、磁極が異なる方向を向いて設置された２以上の磁石を有し、開閉指示部は、移動する移動子の磁石との間の引力および斥力を利用して回転し、外部に表示する色を変更してよい。
【００１９】
上記構成によれば、移動する磁石を介すことで、ハンドルの回動に、開閉表示部に表示される色の変更を連動させることができる。したがって、利用者はハンドルを回動させるだけで、バルブの状態を表示する色を変更することができる。また、非接触で力を伝達することから故障の可能性を低減できる。これにより、簡単かつ確実で装置への負担の少ない表示変更が可能となる。
【００２０】
開閉指示部は円筒形を有し、移動子はバルブ軸と直交する方向にスライド自在に配置されているとしてよい。
【００２１】
上記構成によれば、開閉指示部が円筒形を有するので、開閉指示部の回転を円滑に行うことができ、開と閉の２種だけでなくその中間状態も示すことが可能となる。また、移動子の移動方向が制限されていることから、移動子の誤作動に伴う開閉表示部の誤表示を防止することができる。これにより、バルブの表示の汎用性と正確性の向上が可能となる。
【００２２】
開閉指示部は液密構造の外装部材に収納されていることとしてよい。
【００２３】
上記構成によれば、外装部材内の液体が潤滑剤の役目をすることから、開閉指示部の回転を円滑に行わせることができ、また回転に伴う磨耗を防ぐことができる。これにより、スムーズな表示変更と、耐久性の向上が可能となる。
【発明の効果】
【００２４】
本発明によれば、バルブ操作に不慣れな者であっても容易に配管の管理を行うことが可能になり、それに付随して誤操作の防止が可能なバルブ状態表示装置を提供することができる。
【図面の簡単な説明】
【００２５】
【図１】第１実施形態に係るバルブ状態表示装置の使用態様図である。
【図２】第１実施形態に係るバルブ状態表示装置の構成の説明図である。
【図３】第１実施形態に係る開閉指示部の回転の説明図である。
【図４】第１実施形態に係る移動子の移動を示した図である。
【図５】第２実施形態に係る開閉指示部と移動子の構成の説明図である。
【図６】移動子を有したバルブ状態表示装置の他の実施例の説明図である。
【発明を実施するための形態】
【００２６】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２７】
（第１実施形態）
図１は本実施形態に係るバルブ状態表示装置（以下、単に「表示器１００」という。）の使用態様図である。図１に示す配管パネル１０は、地中送電用のＯＦケーブル（不図示）に絶縁油を供給するための多数の配管１２およびバルブ１４、油圧計１６が設置されている。配管１２は不図示の絶縁油タンクに接続されている。１つのＯＦケーブルに対して複数のバルブ１４が設けられているのは、絶縁油の供給または停止、非常用タンクなどを用いた油の供給源の切り替え、および隣接するＯＦケーブル間での油の供給を共用できるように、経路をさまざまに切り替えるためである。このように複数のバルブ１４が設けられている場合、単一のバルブ１４を開閉する場合と異なり、複数のバルブ１４の開閉の組み合わせになるため、操作には知識と経験が必要になっていた。
【００２８】
そこで本実施形態にかかる表示器１００は、各バルブ１４に、従来のハンドルに代えて取り付けられる。すなわち、バルブ１４に備えられているバルブ軸に表示器１００を取り付け、表示器１００を把持して回転させることにより、バルブ１４の開閉操作を行うことができる。また、バルブ１４を開閉することに伴って表示器１００は回動し、その姿勢が切り替えられる。
【００２９】
図２は表示器１００（バルブ状態表示装置）の構成を説明する図である。図２に示すように表示器１００は剛体たるハンドル部１０２と一体であって、回転可能に軸支された開閉指示部１１０と、開閉指示部１１０を収容する外装部材１２０と、重力によって移動可能な移動子１３０が備えられている。外装部材１２０の先端１２２には、バルブ１４の正規の状態を示す色を固定的に表示する基準指標部１５０が着脱可能に取り付けられている。
【００３０】
ハンドル部１０２は表示器１００の全体の剛性を確保するための基体であって、バルブ軸に取り付けるための角穴１０４を備えている。本実施形態においてハンドル部１０２は片持レバーであって、端部に角穴１０４を有し、バルブ軸を中心に回動する。
【００３１】
開閉指示部１１０は円筒形であり、ハンドル部１０２の軸方向、すなわちバルブ軸と直交する方向の回転軸である回転支軸１３８を中心に円滑に回転可能である。開閉指示部１１０は、２以上の色で回転方向に色分けされ、後述する移動子１３０の移動に伴って回転することで外部に表示する色を変更することができる。
【００３２】
本実施形態においては図２に示すように２色に塗り分けられている。使用する色は、例えば赤と青のように色相が異なる組み合わせが望ましい。本実施形態ではハッチングで示した範囲が赤色面１４２、それ以外の範囲が青色面１４４であるとする。なお、色だけでなく文字や記号等を記載することもでき、開と閉だけでなくその中間状態を示すこともできる。使用者が明確に差異を視認できる表示が望ましい。これにより利用者は、バルブ１４の開閉状態を、表示される色や文字等により視覚的に正確に把握し操作することができる。
【００３３】
また開閉指示部１１０は、内部に２以上の磁石を有している。なお、本実施形態では３つの内部磁石１４０ａ、１４０ｂ、１４０ｃを例示している。開閉指示部１１０内の３つの内部磁石１４０ａ、１４０ｂ、１４０ｃはそれぞれ磁極が異なる方向を向くように、異なる角度で開閉指示部１１０の内壁に設置されている。本実施形態では内部磁石１４０ａは赤色面１４２にＮ極を向けており、内部磁石１４０ｃは青色面１４４にＮ極を向けて設置されている。なお内部磁石１４０ｂは赤色面１４２と青色面１４４の境界線にＳ極を向けて設置されている。
【００３４】
外装部材１２０は透明であって、内部の開閉指示部１１０の色が外部から視認できる構造となっている。なお外装部材１２０は全体が透明であってもよいが、部分的に透明な表示窓を設けてもよい。開閉指示部１１０が２つの色に塗り分けられている場合に、表示窓によって視認可能な範囲を制限することにより、表示色と異なる色が見えてしまうことを防止することができる。
【００３５】
また外装部材１２０は、水や油などの潤滑剤で満たされた液密構造であるとよい。この潤滑剤には水などの粘性の低い液体がよく、これによって開閉指示部１１０の回転を円滑に行わせることができ、また回転に伴う磨耗を防ぐことができる。これにより、スムーズな表示変更と、耐久性の向上が可能となる。
【００３６】
移動子１３０は、開閉指示部１１０に隣接して設けられた移動通路１４６内にスライド自在に配置されている。そして表示器１００の回動に伴う姿勢変更により、バルブ軸と直交する方向に重力によって移動する。なお、移動通路１４６は潤滑剤で満たされた液密構造であるとよい。これにより磨耗を防ぎ、移動速度を抑えることで後述する開閉指示部１１０への力の伝達を行いやすくすることができる。
【００３７】
移動子１３０は磁石を有している。移動子１３０自体が磁石であってもよいが、擦動摩擦を低減するために金属枠などを備えていてもよい。本実施形態では移動子１３０はＮ極を上（開閉指示部１１０側）にして配置されている。なお、磁石の使用に伴い、ハンドル部１０２の材質には、非磁性かつ剛性を有する真鍮等を用いることが望ましい。
【００３８】
このように、磁石を介して力を伝達することで、移動子１３０の落下の力を開閉指示部１１０が回転する力に変換することができる。非接触で力の伝達を行うことから、磨耗等による故障の可能性を低減できる。これにより、簡単かつ確実で装置への負担の少ない表示変更が可能となる。
【００３９】
基準指標部１５０はバルブ１４の正規の状態を示す色を固定的に表示するための部材である。基準指標部１５０には、開閉指示部１１０に使用した色のうち、いずれか１色を用いることができる。これにより、開閉指示部１１０において表示されるべき色を示すことができるため、開閉指示部１１０と基準指標部１５０の色を比較することによってバルブ１４の状態が正しいか否かを容易に確認することができる。したがって、ハンドルの位置でのみ操作の成否の判断をしていた場合と比べ、利用者に知識や経験を要求することなく現在のバルブ１４の状態を把握することができる。これにより、熟練者によらずとも配管の管理を行うことが可能となり、それに合わせて安全管理の向上を図ることが可能となる。
【００４０】
また基準指標部１５０は、上記したように外装部材１２０の先端１２２に着脱が可能であって、色の異なる基準指標部１５０と交換することができる。これにより、例えばプラントの整備や工事を行うために定常状態とは異なるバルブ操作を一定期間求める場合に、基準指標部１５０を他の色のものに交換することで、定常時とは異なる操作であってもハンドル操作の誤認を防ぐことができる。
【００４１】
図３は移動子１３０の移動に伴う開閉指示部１１０の回転を説明するための斜視図であり、図４は表示器１００の回動に伴う移動子１３０の移動を示した図である。なお、図３（ａ）はバルブ１４が閉状態の時（図４（ｂ）参照）に対応した図であり、図３（ｃ）はバルブ１４が開状態の時（図４（ａ）参照）に対応した図である。また図３（ｂ）は移動子１３０が中途位置にあるときの図である。
【００４２】
移動子１３０が図３（ａ）のように位置しているとき、移動子１３０の磁極は常にＮ極が開閉指示部１１０の方向を向いているため、内部磁石１４０ｃは移動子１３０方向に引き寄せられることになる。このとき図４（ｂ）に示したように、青色面１４４が正面方向を向いている。これにより利用者はバルブ１４の閉状態を青色で視認することができる。
【００４３】
移動子１３０が図３（ａ）の位置から図３（ｂ）の位置に移動すると、今度は内部磁石１４０ｂが移動子１３０方向に引き寄せられることになる。各内部磁石は開閉指示部１１０の内側に固定されているが、開閉指示部１１０は回転可能に軸支されている。したがって、開閉指示部１１０は図３（ａ）の状態から９０度回転した状態となる。
【００４４】
移動子１３０が図３（ｂ）の位置から図３（ｃ）の位置に移動すると、今度は内部磁石１４０ａが移動子１３０方向に引き寄せられることになる。これによって、開閉指示部１１０は図３（ａ）の状態から１８０度回転した状態となる。このとき、図４（ａ）に示すように、赤色面１４２が正面方向を向いている。したがって、利用者はバルブの開状態を赤色で視認することができる。このようにして、移動する磁石を介すことで、ハンドルの回動操作に開閉指示部１１０に表示される色の変更動作を連動させることができる。
【００４５】
図４（ａ）はバルブの開状態、図４（ｂ）はバルブの閉状態を示している。図４（ａ）に示すように、バルブが開状態のとき、表示器１００はバルブ軸１５２から見て右斜め上４５度の角度に位置している。このとき、移動子１３０は表示器１００内のバルブ軸１５２側に位置することで、開閉指示部１１０の正面方向に赤色面１４２を表示させている。
【００４６】
一方、図４（ｂ）に示すように、バルブが閉状態のとき、表示器１００はバルブ軸１５２から見て右斜め下４５度の角度に位置している。このとき、移動子１３０は表示器１００内のバルブ軸１５２と反対側の端部（先端１２２側）に位置することで、開閉指示部１１０の正面方向に青色面１４４を表示させている。
【００４７】
すなわち、図４（ａ）、（ｂ）に示すように、移動子１３０は、ハンドルと一体となって回動する表示器１００の姿勢変更により、重力によって移動する。したがって、利用者はハンドルを回動させるだけで、バルブ１４の状態を表示する色を変更させることができる。そして上記構成によれば、利用者は複数のバルブ１４の状態を、表示される色によって一目で把握することができる。したがってプラント等の大規模施設において、複雑な配管１２の管理が求められた場合に、バルブ操作に不慣れな者であっても容易にバルブ１４の管理を行うことが可能になり、それに付随して誤操作を防止することができる。
【００４８】
また、上記構成がハンドル部分のみで完結しており、バルブ１４には変更を加えていないことから、既設のバルブ１４のハンドルと交換することによって、本発明の利益を得ることができる。
【００４９】
（第２実施形態）
本発明にかかるバルブ状態表示装置の第２実施形態について説明する。上記第１実施形態と説明の重複する部分については、同一の符号を付して説明を省略する。上記第１実施形態は移動子１３０が開閉指示部１１０の外部に沿って移動する例であったのに対し、第２実施形態では移動子１３０が開閉指示部２１０の内部を移動する例である。
【００５０】
図５は第２実施形態にかかる開閉指示部２１０と移動子２３０の構成を説明するための図であって、図５（ａ）はバルブが閉状態の時（図４（ｂ）参照）を示し、図５（ｂ）は移動子１３０が中途位置にあるときを示し、図５（ｃ）はバルブ１４が開状態の時（図４（ａ）参照）を示している。
【００５１】
図５に示す表示器２００において、開閉指示部２１０は円筒形であり、上記第１実施形態の開閉指示部１１０と同様に色分けされている。また開閉指示部２１０の内壁に沿って、湾曲した小型の内部磁石２４０ａ、２４０ｂ、２４０ｃがＳ極を内側にむけて配置されている。内部磁石２４０ａ、２４０ｂ、２４０ｃが円筒形に沿って湾曲していることにより、これらの間に移動子２３０が移動する空間が形成されている。
【００５２】
移動子２３０は磁石を有し、または移動子２３０自体が磁石である。移動子２３０は、移動子２３０の軸心に配置された中心軸２３４に摺動可能に挿通されている。したがって移動子２３０は表示器２００の姿勢変更に伴い、重力によって中心軸２３４に沿って開閉指示部２１０の内部を移動する。このとき、移動子２３０の軸穴２３６と中心軸２３４の断面を多角形とすることで、移動子２３０の中心軸２３４を中心とした回転を防ぐことができる。
【００５３】
図５（ａ）に示すように、移動子２３０が先端１２２側にあるとき、移動子２３０は常にＮ極が図面の下方向を向いているため、内部磁石２４０ｃは移動子２３０の下側に引き寄せられる。
【００５４】
図５（ｂ）に示すように、移動子２３０が開閉指示部２１０の略中間に移動すると、内部磁石２４０ｂが移動子２３０の下側に引き寄せられる。各内部磁石は開閉指示部２１０の内側に固定されているが、開閉指示部２１０は回転可能に軸支されている。したがって、開閉指示部２１０は図５（ａ）の状態から９０度回転した状態となる。
【００５５】
図５（ｃ）に示すように、移動子２３０がバルブ軸側に移動すると、内部磁石２４０ｃが移動子２３０の下側に引き寄せられる。これによって、開閉指示部２１０は図５（ａ）の状態から１８０度回転した状態となる。
【００５６】
このように、第２実施形態の構成においても、第１実施形態と同様に、移動子２３０の移動に伴って開閉指示部２１０が回転し、利用者がバルブの開閉状態を色で視認することができる。これにより、バルブ操作に不慣れな者であっても容易に配管の管理を行うことが可能になり、それに付随して誤操作の防止ができるバルブ状態表示装置を提供することが可能となる。
【００５７】
また、移動子２３０が開閉指示部２１０の内部を移動するように構成したことにより、表示器２００全体を小さく構成することができる。したがって取り扱いが容易となり、また狭い箇所に設置されたバルブ１４にも取り付けることが可能となる。
【００５８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５９】
例えば図６に示す表示器３００のように、開閉指示部３１０の内部両端に互いに対向し異なる方向に偏って傾斜した傾斜部３２０を備え、開閉指示部３１０の内部に球状の移動子３３０を備えた構成も考えられる。このような構成によっても、重力による移動子３３０の移動に伴って開閉指示部３１０を回転させることができる。
【産業上の利用可能性】
【００６０】
本発明は、バルブの状態を表示するバルブ状態表示装置として利用することができる。
【符号の説明】
【００６１】
１０   …配管パネル
１００  …表示器
１０２  …ハンドル部
１０４  …角穴
１１０  …開閉指示部
１２   …配管
１２０  …外装部材
１２２  …先端
１３０  …移動子
１４   …バルブ
１４０  …内部磁石
１４６  …移動通路
１５０  …基準指標部
１５２  …バルブ軸
１６   …油圧計
２００  …表示器
２１０  …開閉指示部
２３０  …移動子
２３４  …中心軸
２３６  …軸穴
２４０  …内部磁石
３００  …表示装置
３１０  …開閉指示部
３２０  …傾斜部
３３３  …移動子
【図１】
2010223331.tif 000003
【図２】
2010223331.tif 000004
【図３】
2010223331.tif 000005
【図４】
2010223331.tif 000006
【図５】
2010223331.tif 000007
【図６】
2010223331.tif 000008